(57)【特許請求の範囲】
【請求項１】
プレキャストコンクリート製品の気中養生時に、該プレキャストコンクリート製品の周縁端部に沿って装着して該周縁端部を断熱保温する、着脱自在な養生治具であって、
該周縁端部の表面を被覆する被覆体と、該被覆体と該周縁端部との間に介在される断熱層とを有し、該被覆体は該周縁端部に沿って所定長に分割形成され、
前記被覆体は断面コ字状に形成され、該コ字状断面の開口端両縁に沿って、該プレキャスト製品の表面に圧接して、該プレキャストコンクリート製品の周縁端部表面と該被覆体の内側面との間に前記断熱層としての空気層を区画形成するための空間区画部材が設けられている、
ことを特徴とするプレキャストコンクリート製品の養生治具。
【請求項２】
請求項１に記載のプレキャストコンクリート製品の養生治具であって、
前記被覆体は合成樹脂で形成されている、
ことを特徴とするプレキャストコンクリート製品の養生治具。
【請求項３】
請求項２に記載のプレキャストコンクリート製品の養生治具であって、
前記空間区画部材が前記被覆体と同じ合成樹脂で一体形成されている、
ことを特徴とするプレキャストコンクリート製品の養生治具。
【請求項４】
請求項１〜３のいずれかに記載のプレキャストコンクリート製品の養生治具であって、
前記プレキャストコンクリート製品への装着時に、該製品の端面に対向する前記被覆体の内面に、該端面に当接して該被覆体との離間寸法を所定値に保持する離隔部材が設けられている、
ことを特徴とするプレキャストコンクリート製品の養生治具。
【請求項５】
請求項１〜４のいずれかに記載のプレキャストコンクリート製品の養生治具を用いたプレキャストコンクリート製品の養生方法であって、
該プレキャストコンクリート製品の脱型時に、該製品の周縁端部に沿って前記分割形成された養生治具を連続させて装着する取り付け工程と、
該養生治具の取り付け後に、所定時間に亘って該プレキャストコンクリート製品を気中養生する一次養生工程と、
該気中養生の終了後に、該養生治具を取り外す工程と、
該養生治具の取り外し後に、該プレキャストコンクリート製品を養生する二次養生工程と、
を有することを特徴とするプレキャストコンクリート製品の養生方法。
【発明の詳細な説明】
【技術分野】
【０００１】
本発明はプレキャストコンクリート製品の養生治具に係わり、特に気中養生時にプレキャストコンクリート製品の周縁端部に装着して当該部位を断熱することにより、その周縁端部にひび割れ等の損傷が発生するのを防止し得るようにしたプレキャストコンクリート製品の養生治具、並びに当該養生治具を使用した養生方法に関する。
【背景技術】
【０００２】
コンクリート版やシールドトンネルに用いるコンクリート製セグメント等のプレキャストコンクリート製品を製作するにあたって、そのコンクリートにセメント量の多いものを用いて打設形成すると、その脱型後の気中養生時の発熱量が大きくなるため、プレキャストコンクリート製品の温度は外気温よりもかなり高めになる。また、蒸気養生を行った場合には、プレキャストコンクリート製品と外気との温度差はさらに大きくなってしまう。  そして、このように脱型後のプレキャストコンクリート製品と外気との温度差が大きいと、その気中養生時において、プレキャストコンクリート製品の放熱性が良い周縁端部の温度がその中心部の温度よりも早期に下がり、特に端部や隅角部にひび割れが発生しやすくなる。そこで、このひび割れの発生を防止すべく、プレキャストコンクリート製品を気中養生するに際しては、当該製品を断熱シートで包んで断熱保温しながら気中養生をしていた。
【０００３】
しかしながら、プレキャストコンクリート製品の全体を断熱シートで包んで保温してしまうと、逆に製品全体の温度がなかなか下がらなくなってしまい、次工程に移行するまでに相当な時間を要して生産効率が低下してしまうことになる。このため従来にあっては、例えば下記特許文献１等にて示されているように、プレキャストコンクリート製品の気中養生時には、その隅角部を断熱材で覆って当該部位を局部的に保温して養生する一次養生工程と、断熱シートを取り除いて養生する二次養生工程とを行うようにした養生方法が提案されている。
【先行技術文献】
【特許文献】
【０００４】
【特許文献１】特開２０００−２９００８７
【発明の概要】
【発明が解決しようとする課題】
【０００５】
ところで、プレキャストコンクリート製品の気中養生時に用いる断熱材としては、一般的に断熱シートが多用されているが、当該断熱シートをプレキャストコンクリート製品の隅角部等の周縁端部に巻き付けて粘着テープ等で装着固定するという作業は、甚だ面倒で手間が掛かるものであって、一人の作業員にて行うには非常に困難性を伴うことから複数の人員を要していた。  
また、当該断熱シートは剥がした後に畳んでも嵩高となって、その片付けに手間が掛かるという問題があった。
【０００６】
本発明は、上記のような問題点に鑑みてなされたものであって、その目的は、プレキャストコンクリート製品の気中養生時に、その周縁端部を断熱層で覆って保温することにより当該部位にひび割れが発生するのを防止するにあたって、その周縁端部への脱着を１人で容易に行い得、かつ繰り返し再使用することができて廃棄の手間が掛からない、プレキャストコンクリート製品の養生治具、及び当該養生治具を用いた養生方法を提供することにある。
【課題を解決するための手段】
【０００７】
かかる目的を達成するために請求項１に示す発明は、プレキャストコンクリート製品の気中養生時に、該プレキャストコンクリート製品の周縁端部に沿って装着して該周縁端部を断熱保温する、着脱自在な養生治具であって、該周縁端部の表面を被覆する被覆体と、該被覆体と該周縁端部との間に介在される断熱層とを有し、該被覆体は該周縁端部に沿って所定長に分割形成され、前記被覆体は断面コ字状に形成され、該コ字状断面の開口端両縁に沿って、該プレキャスト製品の表面に圧接して、該プレキャストコンクリート製品の周縁端部表面と該被覆体の内側面との間に前記断熱層としての空気層を区画形成するための空間区画部材が設けられている、ことを特徴とする。
【０００８】
請求項２に示す発明は、請求項１に記載のプレキャストコンクリート製品の養生治具であって、前記被覆体は合成樹脂で形成されている、ことを特徴とする。
【００１０】
請求項３に示す発明は、請求項２に記載のプレキャストコンクリート製品の養生治具であって、前記空間区画部材が前記被覆体と同じ合成樹脂で一体形成されている、ことを特徴とする。
【００１１】
請求項４に示す発明は、請求項１〜３のいずれかに記載のプレキャストコンクリート製品の養生治具であって、前記プレキャストコンクリート製品への装着時に、該製品の端面に対向する前記被覆体の内面に、該端面に当接して該被覆体との離間寸法を所定値に保持する離隔部材が設けられている、ことを特徴とする。
【００１２】
請求項５に示す発明は、請求項１〜４のいずれかに記載のプレキャストコンクリート製品の養生治具を用いたプレキャストコンクリート製品の養生方法であって、該プレキャストコンクリート製品の脱型時に、該製品の周縁端部に沿って前記分割形成された養生治具を相互に連続させて装着する取り付け工程と、該養生治具の取り付け後に、所定時間に亘って該プレキャストコンクリート製品を気中養生する一次養生工程と、該気中養生の終了後に、該養生治具を取り外す工程と、該養生治具の取り外し後に、該プレキャストコンクリート製品を養生する二次養生工程と、を有することを特徴とする。
【発明の効果】
【００１３】
本発明によれば、プレキャストコンクリート製品の気中での一次養生時に、その周縁端部を断熱層で覆って保温することにより当該部位にひび割れが発生するのを防止するにあたって、その周縁端部への脱着を１人で容易に行い得、かつ繰り返し再使用することができて廃棄の手間が掛からないプレキャストコンクリート製品の養生治具、及び当該養生治具を用いたプレキャストコンクリート製品の養生方法を提供することができる。
【図面の簡単な説明】
【００１４】
【図１】平板状のプレキャストコンクリート製品の周縁端部に、本発明に係る養生治具を適用して装着した状態を示す図で、（ａ）はその平面図、（ｂ）はその正面図、（ｃ）は同図ａ中のｃ−ｃ線矢視断面図である。
【図２】本発明に係る養生治具の第１実施形態を示す斜視図であり、（ａ）はプレキャストコンクリート製品の直線部に装着される養生治具片を示し、（ｂ）は隅角部に装着される養生治具片を示す。
【図３】本発明に係る養生治具の第２実施形態を示す斜視図であり、（ａ）はプレキャストコンクリート製品の直線部に装着される養生治具片を示し、（ｂ）は隅角部に装着される養生治具片を示す。
【図４】本発明に係る養生治具の第３実施形態を示す斜視図であり、（ａ）はプレキャストコンクリート製品の直線部に装着される養生治具片を示し、（ｂ）は隅角部に装着される養生治具片を示す。
【図５】本発明に係る養生治具の第４実施形態を示す側面図であり、（ａ）はプレキャストコンクリート製品の直線部に装着される養生治具片を示し、（ｂ）は隅角部に装着される養生治具片を示す。
【図６】シールドトンネル用のセグメントとして、湾曲した板状に形成されたプレキャストコンクリート製品の周縁端部に、本発明に係る養生治具を適用して装着した状態を示す図で、（ａ）はその平面図、（ｂ）はその正面図である。
【発明を実施するための形態】
【００１５】
以下に、本発明に係るプレキャストコンクリート製品の養生治具、及び当該養生治具を用いた養生方法について、添付図面を参照して詳述する。
【００１６】
先ず、図１（ａ），（ｂ），（ｃ）に示すように、基本的に本発明の養生治具２は、プレキャストコンクリート製品Ａの気中養生時に、そのプレキャストコンクリート製品Ａの周縁端部Ａａに沿って着脱自在に装着されて当該周縁端部Ａａを断熱保温することにより、その周縁端部Ａａにひび割れが発生するのを防止するようになっている。
【００１７】
ここで、同図におけるプレキャストコンクリート製品Ａには、床版等に用いる矩形の平板状を呈したものを例示してある。このプレキャストコンクリート製品Ａは、図示していないが、型枠内にコンクリートが打設されて形成される。そして、当該製品Ａが型枠から取り出された脱型時において、その周縁端部Ａａにその全周長に沿って養生治具２が着脱自在に取り付けられ、当該養生治具２によって、プレキャストコンクリート製品Ａの周縁端部Ａａにおける上下両面Ａａ１，Ａａ２と端面Ａａ３との３面からなる周側部分が局部的にその全周長に亘って断熱保温される。そして、その周縁端部Ａａにおける３面からなる周側部分が局部的に断熱保温された状態にて、プレキャストコンクリート製品Ａが所定時間に亘って気中にて一次養生される。また、この一次養生の終了後には、当該養生治具２が取り外され、その取り外し後に、プレキャストコンクリート製品Ａが二次養生されるようになっている。なお、当該二次養生には、気中養生または水中養生等を採用し得る。
【００１８】
ここで、上記養生治具２は、プレキャストコンクリート製品Ａの周縁端部Ａａの表面を被覆する被覆体６と、この被覆体６とプレキャストコンクリート製品Ａの周縁端部との間に介在される断熱層８とを有し、被覆体６と断熱層８とからなる養生治具２は製品Ａの周縁端部Ａａに沿って所定長に分割形成されている。即ち、養生治具２は分割形成された多数の養生治具片４からなっており、平面視で矩形状をなす４辺の直線部分を被覆する直線部用養生治具片４ａと隅角部分を被覆する隅角部用養生治具片４ｂとを有している。そして、これらの各直線部用養生治具片４ａと隅角部用養生治具片４ｂとは、相互に端部同士がほぼ密着状態に付き合わされて、連続した環状の状態となってプレキャストコンクリート製品Ａの周縁端部Ａａに装着されるようになっている。なお、各養生治具片４ａ，４ｂは、作業員が一人で持ち運びできる程度の所定長に分割形成される。
【００１９】
以降、当該プレキャストコンクリート製品Ａに対して装着する養生治具２の種々の実施形態について、その養生治具片４をより具体的に例示して順次に説明する。
【００２０】
＝＝＝第１実施形態＝＝＝
図２は本発明の第１実施形態に係るプレキャストコンクリート製品の養生治具１０２（＝養生治具２）を示しており、図１（ｃ）に示す断面図もこの第１実施形態のものになっている。即ち、この第１実施形態の養生治具１０２にあっては、図２（ａ）に示す直線部用養生治具片１０４ａの被覆体１０６ａ、並びに同図（ｂ）に示す隅角部用養生治具片１０４ｂの被覆体１０６ｂは、ともに合成樹脂等の弾性素材で断面コ字状に形成され、その断面コ字状の内側面にはその全面に亘って、前記断熱層８を形成してプレキャストコンクリート製品の表面に圧接する断熱材１０８が設けられて構成されている。
【００２１】
つまり、上記被覆体１０６ａ，１０６ｂの上下の板部１１０は、その間隔がプレキャストコンクリート製品Ａの厚みよりも十分に大きく形成されており、その内側の対向面に設けられる断熱材１０８同士の対向面間の間隔がプレキャストコンクリート製品Ａの厚みよりも少し小さく設定されている。このため、被覆体１０６ａ，１０６ｂがプレキャストコンクリート製品Ａの周縁端部Ａａに装着された際には、断熱材１０８が圧縮された状態となってプレキャストコンクリート製品Ａの表面Ａａ１，Ａａ２に圧接する。ここで、上記断熱材１０８としては、気泡緩衝シート、或いは発泡ポリウレタンや発泡スチロール等の発泡樹脂係素材、またはグラスウール等の断熱素材、さらにはエアーバッグなどの種々のものが適用可能である。
【００２２】
また、図２（ｂ）に示してあるように、隅角部用養生治具片１０４ｂには、その被覆体１０６ｂの長手方向の一方端側に、そのコ字状の断面を閉塞する覆板１１２が設けられており、この覆板１１２の内面側にも断熱層を形成する断熱材１０８が設けられている。ここで、上記覆板１１２はコ字状断面を形成している上下の板部１１０に対して切断線が入れられる等して相互に遊離形成されていて、上下の板部１１０がそれぞれに弾性変形してその突出端側の開口が拡開するのを阻害しないようになっている。また、同様にそれらの板部１１０，１１２の内側に設けられる断熱材１０８も相互に遊離形成されている。
【００２３】
そして、上記の様に構成される直線部用養生治具片１０４ａと隅角部用養生治具片１０４ｂとは、プレキャストコンクリート製品が型枠から取り出された脱型時に、図１（ａ）に示すように、当該プレキャストコンクリート製品Ａの周縁端部Ａａに沿って相互に端部同士が付き合わされて、ほぼ密着された状態で連続的に取り付けられていき、その全周に亘って環状に装着形成される。なお、この取り付けに際しては、弾性素材で形成された被覆体１０６ａ，１０６ｂの上下の板部１１０の突出端側の開口部を拡開して弾性変形させながら、プレキャストコンクリート製品Ａの周縁端部Ａａを内部に差し込むようにして嵌合装着する。（養生治具の取り付け工程）
そして、当該養生治具１０２の取り付け終了後に、プレキャストコンクリート製品Ａを所定時間に亘って気中にて一次養生し（一次養生工程）、この一次養生の終了後に、直線部用養生治具片１０４ａと隅角部用養生治具片１０４ｂとの全てを逐次に取り外し（養生治具の取り外し工程）、爾後、プレキャストコンクリート製品Ａを水中に所定時間浸漬して、または所定時間気中に放置して二次養生する（二次養生工程）。なお、本実施形態においては、１次養生後に、水中に所定時間浸漬して、または、所定時間気中に放置して２次養生を行う場合について説明したが、当該二次養生はこれらに限定されるものではなく、その他の養生方法として封緘養生やラップ養生などを用いてもよい。
【００２４】
従って、上述の様にしてなる本実施形態によれば、作業員が一人で持ち運び可能な大きさに分割形成した直線部用養生治具片１０４ａと隅角部用養生治具片１０４ｂとを用いて、これらを一つずつ逐次にプレキャストコンクリート製品Ａの周縁端部Ａａに連続させて装着して環状の養生治具１０２（＝２）に組み立てていくので、当該養生治具１０２の組み立て取り付け作業および解体取り外し作業を一人の作業員で容易に行うことができるようになる。
【００２５】
また、取り外して個々の直線部用養生治具片１０４ａと隅角部用養生治具片１０４ｂとに解体した養生治具１０２は、繰り返し再利用して他のプレキャストコンクリート製品Ａの気中での一次養生時に転用できるので、廃材が発生することがなく、その廃棄処理の手間が無くなる。
【００２６】
さらに、養生治具１０２を多数の養生治具片１０４ａ，１０４ｂに分割形成してあるので、気中養生中にプレキャストコンクリート製品Ａをクレーンやフォークリフト等で他所に移動させる必要がある場合にも、そのクレーンやフォークリフト等で支持する部分に該当した位置の養生治具片１０４ａを一時的に取り外すだけで、その移動を簡易に素速く行うことができるようになる。
【００２７】
＝＝＝第２実施形態＝＝＝
図３は本発明の第２実施形態に係るプレキャストコンクリート製品の養生治具２０２（＝養生治具２）を示す。この第２実施形態の養生治具２０２にあっても、その基本的な構成は上述の第１実施形態と同様であるので、以下にはその相違する点について詳述する。
【００２８】
即ち、この第２実施形態のプレキャストコンクリート製品の養生治具２０２にあっては、図３（ａ）に示す直線部用養生治具片２０４ａの被覆体２０６ａ、並びに同図（ｂ）に示す隅角部用養生治具片２０４ｂの被覆体２０６ｂは、ともに合成樹脂等の弾性素材で断面コ字状に形成されて、その断面コ字状の内側面には、少なくとも当該コ字状をなして拡開する開口端の両縁、つまり少なくとも上下の板部２１０の突出端縁に沿って、空間区画部材２１４が設けられている。そして、この空間区画部材２１４はプレキャストコンクリート製品の表面に圧接してプレキャストコンクリート製品の周縁端部表面と当該被覆体２０６ａ，２０６ｂの内側面との間に前記断熱層８としての空気層２１６を確保する空間を区画形成するようになっている。なお、図３に示した実施形態例では、上記空間区画部材２１４は被覆体２０６ａ，２０６ｂの内側面の外周縁部に沿って、その全長に亘って環状をなしてほぼ連続的に設けられている。なお、図中の２１２は覆板である。
【００２９】
また、プレキャストコンクリート製品Ａへの装着時に、そのプレキャストコンクリート製品の端面Ａａ３に対向する被覆体２０６の内面、つまり上下の板部２１０同士を繋いでいる側板部２１１に設けられている上記空間区画部材２１４は、当該分割養生片２０４ａ，２０４ｂを取り付ける際に、プレキャストコンクリート製品Ａの端面Ａａ３に当接して被覆体２０６ａ，２０６ｂとの離間寸法を所定値に保持して、当該部位に断熱空気層２１６を確保するための離隔部材２１８として少なくとも機能すれば良い。即ち、当該部位に設ける空間区画部材２１４は、取り付け時の位置合わせを容易に行い得るようにすれば良く、空間区画部材２１４として当該部位には必ずしも設ける必要はない。つまり、離隔部材２１８としてのみ機能させて設ける場合には、側板部２１１から内方に所定長突出するロッド状等のものであっても良く、その形成位置も側板部２１１の中央部寄りに複数本設けるようにしても良い。
【００３０】
また、上記空間区画部材２１４は、プレキャストコンクリート製品Ａの表面に圧接して空気の流通を抑制することで、所定の断熱性を確保できる空気層２１６（＝断熱層８）の空間を区画形成し得るものであれば良く、よってその素材は特に問われることはないが、プレキャストコンクリート製品Ａの表面への圧接時の密着性や安定性を考慮すると、例えばネオプレンゴム等の樹脂系の弾性素材を使用するのが好ましい。
【００３１】
なお、上記以外の構成は前述の第１実施形態と同様であり、また、プレキャストコンクリート製品への脱着時の取り付け／取り外し手順や、その養生方法も第１実施形態と同様であって、その作用効果も同等のものとなる。
【００３２】
＝＝＝第３実施形態＝＝＝
図４は本発明の第３実施形態に係るプレキャストコンクリート製品の養生治具３０２（＝養生治具２）を示し、この第３実施形態のプレキャストコンクリート製品の養生治具３０２にあっては、図４（ａ）に示す直線部用養生治具片３０４ａの被覆体３０６ａ、並びに同図（ｂ）に示す隅角部用養生治具片３０４ｂの被覆体３０６ｂは、ともに合成樹脂等の弾性素材で断面コ字状に形成されて、その断面コ字状の内側面には、少なくとも当該コ字状をなして拡開する開口端の両縁に沿って空間区画部材３１４が設けられ、この空間区画部材３１４が被覆体３０６ａ，３０６ｂと同じ弾性素材で一体形成されている。また、空間区画部材３１４は被覆体３０６ａ，３０６ｂの内側面に、その外周縁の全長に沿って連続的に環状に設けられている。ここで、上下の板部３１０の長手方向両側端縁と、当該上下の板部３１０同士を繋いでいる側板部３１１の長手方向両側端縁とにそれぞれ形成される上記空間区画部材３１４がコ字状に連なって一体的形成されていると、上下の板部３１０の拡開が阻害されることになるので、そのコ字状の各角部には切り込み線を入れる等してそれらを相互に遊離させておく。なお、図中の３１２は覆板である。
【００３３】
即ち、この第３実施形態は、前述の第２実施形態における空間区画部材２１４を被覆体２０６ａ，２０６ｂと同じ弾性素材で一体形成した構成に相当するが、当該第３実施形態について換言すれば、被覆体３０６ａ，３０６ｂは合成樹脂等の弾性素材で断面Ｃ字状に形成されて、このＣ字状断面の開口部が該プレキャストコンクリート製品Ａの表面に圧接して、プレキャストコンクリート製品Ａの表面と被覆体３０６ａ，３０６ｂの内側面とによって区画される空間の空気層３１６が断熱層８として機能するようになっている。
【００３４】
また、前記第２実施形態と同様に、上記空間区画部材３１４は、当該分割養生片３０４ａ，３０４ｂを取り付ける際に、プレキャストコンクリート製品Ａの端面Ａａ３に当接して被覆体３０６ａ，３０６ｂとの離間寸法を所定値に保持して、当該部位に空気層３１６（＝断熱層８）を確保するための離隔部材３１８として少なくとも機能して、取り付け時の位置合わせ容易に行い得るようにすれば良く、当該部位には空間区画部材は必ずしも設ける必要はない。なお、離隔部材３１８としてのみ機能させて設ける場合には、側板部３１１から内方に突出するロッド状等のものであっても良く、その形成位置も側板部３１１の中央部寄りに複数本設けるようにしても良い。
【００３５】
なお、上記以外の構成は前述の第１実施形態と同様であり、また、プレキャストコンクリート製品への脱着時の取り付け／取り外し手順や、その養生方法も第１実施形態と同様であって、その作用効果も同等のものとなる。
【００３６】
＝＝第４実施形態＝＝＝
図５（ａ），（ｂ）は本発明の第４実施形態に係るプレキャストコンクリート製品の養生治具４０２（＝養生治具２）を示しており、（ａ）は直線部用養生治具片４０４ａを示し、（ｂ）は隅角部用養生治具片４０４ｂを示している。ここで、この第４実施形態のプレキャストコンクリート製品の養生治具４０２にあっては、前述した第１実施形態の構成をその前提構成としており、当該第１実施形態とは下記の点で相違している。
【００３７】
即ち、被覆体４０６ａ，４０６ｂはそれぞれに、上下の板部４１０同士を繋いでいる側板部４１１はプレキャストコンクリート製品Ａへの装着時に、そのプレキャストコンクリート製品Ａの端面Ａａ３に対向するが、この側板部４１１において養生治具片４０４ａ，４０４ｂは、それぞれ上下に２分割されている。そして、この上下に２分割された養生治具片４０４ａ，４０４ｂの上側被覆体４０６ａ−１，４０６ｂ−１と下側被覆体４０６ａ−２，４０６ｂ−２とは、その側板部４１１の外面側に設けられたヒンジ４２０で相互に開閉自在に連結されている。
【００３８】
さらに、上記側板部４１１の外側には、上側被覆体４０６ａ−１，４０６ｂ−１と下側被覆体４０６ａ−２，４０６ｂ−２とを閉方向に付勢する付勢手段４２２が設けられている。当該図示例では上記ヒンジ４２０がバネ板で形成されていて、当該ヒンジ４２０が付勢手段４２２を兼ねている構成となっている。なお、図中の４１２は覆板である。
【００３９】
即ち、このように上側被覆体４０６ａ−１，４０６ｂ−１と下側被覆体４０６ａ−２，４０６ｂ−２とがヒンジ４２０を介して開閉するような構成にすると、被覆体４０６ａ，４０６ｂの上下の板部４１０を大きく拡開させられるようになるので、プレキャストコンクリート製品への嵌合装着がより容易に行えるようになる。また、このような開閉機構を設けるようにした場合には、被覆体４０６ａ，４０６ｂが弾性変形しなくても養生治具片４０４ａ，４０４ｂを装着し得るので、当該被覆体４０６ａ，４０６ｂの素材には必ずしも合成樹脂等の弾性素材を用いなくても良い。
【００４０】
なお、この第４実施例における上側被覆体４０６ａ−１，４０６ｂ−１と下側被覆体４０６ａ−２，４０６ｂ−２とをヒンジ４２０を介して開閉するようにした構成は、前述の第２実施形態および第３実施形態にも適用し得るものである。
【００４１】
＝＝＝第５実施形態＝＝＝
図６（ａ），（ｂ）は本発明の第５実施形態に係るプレキャストコンクリート製品の養生治具５０２（＝養生治具２）を示している。この第５実施形態のプレキャストコンクリート製品の養生治具５０２が前述の第１実施形態〜第４実施形態と相違するところは、装着対象となるプレキャストコンクリート製品Ａ’が、シールドトンネルに用いられるセグメントであるという点のみである。
【００４２】
即ち、セグメントとしてのプレキャストコンクリート製品Ａ’は円弧状に湾曲した板状をなしているので、その湾曲した周縁端部Ａ’ｃに装着される湾曲部用養生治具片５０４ｃは、その曲率に合わせて湾曲形成される点だけが相違し、その他の点では上述した第１実施形態〜第４実施形態で述べた各養生治具の直線部用養生治具片１０４ａ，２０４ａ，３０４ａ，４０４ａ及び隅角部用養生治具片１０４ｂ，２０４ｂ，３０４ｂ，４０４ｂと同一の構成となし得る。なお、図示した湾曲部用養生治具片５０４ｃのうち、両側端部に配設されるものが、隅角部用として構成されている。
【００４３】
また、プレキャストコンクリート製品Ａ’における円筒面の母線に沿った周縁端部Ａ’ａはほぼ直線的になっているので、当該部位には前述した第１実施形態〜第４実施形態における各直線部用養生治具片１０４ａ，２０４ａ，３０４ａ，４０４ａと同一に構成したものを使用し得る。
【００４４】
そして、当該第５実施形態のプレキャストコンクリート製品の養生治具にあっても、前述した第１実施形態〜第４実施形態と同等の作用効果が得られる。
【符号の説明】
【００４５】
Ａ、Ａ’  プレキャストコンクリート製品
Ａａ、Ａ’ａ、Ａ’ｃ  周縁端部
２  養生治具
４  養生治具片
４ａ  直線部用養生治具片
６  被覆体
８  断熱層
１０２、２０２、３０２、４０２、５０２  養生治具
１０４ａ、２０４ａ、３０４ａ、４０４ａ  直線部用養生治具片
１０４ｂ、２０４ｂ、３０４ｂ、４０４ｂ  隅角部用養生治具片
１０６ａ、２０６ａ、３０６ａ、４０６ａ  被覆体（直線部用養生治具片）
１０６ｂ、２０６ｂ、３０６ｂ、４０６ｂ  被覆体（隅角部用養生治具片）
１０８、４０８  断熱材（断熱層）
２１４、３１４  空間区画部材
２１６、３１６  空気層（断熱層）
２１８、３１８  離隔部材
５０４ｃ  湾曲部用養生治具片
【図１】
0005409225.tif 000002
【図２】
0005409225.tif 000003
【図３】
0005409225.tif 000004
【図４】
0005409225.tif 000005
【図５】
0005409225.tif 000006
【図６】
0005409225.tif 000007